【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
立体視用の左画像と右画像とを有する立体視画像作成方法であって、
前記左画像と右画像とでそれぞれ対応する一対の融合点がない左右の対象領域のうちのいずれかの目立たない方の領域を特定して、該目立たない方の領域を排除領域として抽出する排除領域抽出ステップと
前記排除領域抽出ステップにおいて抽出された排除領域に対し、前記対象領域から該排除領域を除いた領域に比較して、より目立たなくさせる加工を施す排除領域加工ステップと
を備えたことを特徴とする立体視画像作成方法。
【請求項２】
立体視用の左画像と右画像とを有する立体視画像作成方法であって、
所定の表示面に表示される前記左画像と右画像とで対応する融合点がない左右の領域を排除領域として抽出する排除領域抽出ステップと、
前記排除領域抽出ステップにおいて抽出された排除領域に対し、より目立たなくさせる加工を施す排除領域加工ステップと
を備えたことを特徴とする立体視画像作成方法。
【請求項３】
前記より目立たなくさせる加工は、前記排除領域をぼかす加工であることを特徴とする請求項１または２に記載の立体視画像作成方法。
【請求項４】
前記より目立たなくさせる加工は、前記排除領域のコントラストを低くする加工であることを特徴とする請求項１または２に記載の立体視画像作成方法。
【請求項５】
前記より目立たなくさせる加工は、前記排除領域の彩度または明度を下げる加工であることを特徴とする請求項１または２に記載の立体視画像作成方法。
【請求項６】
前記より目立たなくさせる加工は、前記排除領域の色相を寒色系に近づける加工であることを特徴とする請求項１または２に記載の立体視画像作成方法。
【請求項７】
前記より目立たなくさせる加工は、前記排除領域の色相、彩度または明度を前記対象領域から該排除領域を除いた領域の色相、彩度または明度に近づける加工であることを特徴とする請求項１または２に記載の立体視画像作成方法。
【請求項８】
前記より目立たなくさせる加工は、
（１）前記排除領域をぼかす加工
（２）前記排除領域のコントラストを低くする加工
（３）前記排除領域の彩度または明度を下げる加工
（４）前記排除領域の色相を寒色系に近づける加工、および
（５）前記排除領域の色相、彩度または明度を前記対象領域から該排除領域を除いた領域の色相、彩度または明度に近づける加工
のいずれか１つまたは組み合わせであることを特徴とする請求項１または２に記載の立体視画像作成方法。
【請求項９】
立体視用の左画像と右画像とを有する立体視画像作成装置であって、
前記左画像と右画像とでそれぞれ対応する一対の融合点がない左右の対象領域のうちのいずれかの目立たない方の領域を特定して、該目立たない方の領域を排除領域として抽出する排除領域抽出手段と、
前記排除領域抽出手段において特定された排除領域に対し、前記対象領域から該排除領域を除いた領域に比較して、より目立たなくさせる加工を施す排除領域加工手段と
を備えたことを特徴とする立体視画像作成装置。
【請求項１０】
立体視用の左画像と右画像とを有する立体視画像作成装置であって、
所定の表示面に表示される前記左画像と右画像とで対応する融合点がない左右の領域を排除領域として抽出する排除領域抽出手段と、
前記排除領域抽出手段において特定された排除領域に対し、より目立たなくさせる加工を施す排除領域加工手段と
を備えたことを特徴とする立体視画像作成装置。
【請求項１１】
立体視用の左画像と右画像とを有する立体視画像を立体視する方法であって、
前記左画像と右画像とでそれぞれ対応する一対の融合点がない左右の対象領域のうちのいずれかの目立たない方の領域を特定して、該目立たない方の領域を排除領域として抽出する排除領域抽出ステップと、
前記排除領域抽出ステップにおいて抽出された排除領域に対し、前記対象領域から該排除領域を除いた領域に比較して、より目立たなくさせる加工を施す排除領域加工ステップと
を備えたことを特徴とする立体視する方法。
【請求項１２】
立体視用の左画像と右画像とを有する立体視画像を立体視する方法であって、
所定の表示面に表示される前記左画像と右画像とで対応する融合点がない左右の領域を排除領域として抽出する排除領域抽出ステップと、
前記排除領域抽出ステップにおいて抽出された排除領域に対し、より目立たなくさせる加工を施す排除領域加工ステップと
を備えたことを特徴とする立体視する方法。
【請求項１３】
立体視用の左画像と右画像とを有する立体視画像を立体視させる装置であって、
前記左画像と右画像とでそれぞれ対応する一対の融合点がない左右の対象領域のうちいずれかの目立たない方の領域を特定して、該目立たない方の領域を排除領域として抽出する排除領域抽出手段と、
前記排除領域抽出手段において抽出された排除領域に対し、前記対象領域から該排除領域を除いた領域に比較して、より目立たなくさせる加工を施す排除領域加工手段と
を備えたことを特徴とする立体視画像を立体視させる装置。
【請求項１４】
立体視用の左画像と右画像とを有する立体視画像を立体視させる装置であって、
所定の表示面に表示される前記左画像と右画像とで対応する融合点がない左右の領域を排除領域として抽出する排除領域抽出手段と、
前記排除領域抽出手段において抽出された排除領域に対し、より目立たなくさせる加工を施す排除領域加工手段と
をさらに備えたことを特徴とする立体視画像を立体視させる装置。
【請求項１５】
立体視用の左画像と右画像とを有する立体視画像作成装置を制御するプログラムであって、
前記左画像と右画像とでそれぞれ対応する一対の融合点がない左右の対象領域のうちいずれかの目立たない方の領域を特定して、該目立たない方の領域を排除領域として抽出する排除領域抽出ステップと、
前記排除領域抽出ステップにおいて抽出された排除領域に対し、前記対象領域から該排除領域を除いた領域に比較して、より目立たなくさせる加工を施す排除領域加工ステップと
を立体視画像作成装置に実行させるプログラム。
【請求項１６】
立体視用の左画像と右画像とを有する立体視画像作成装置を制御するプログラムであって、
所定の表示面に表示される前記左画像と右画像とで対応する融合点がない左右の領域を排除領域として抽出する排除領域抽出ステップと、
前記排除領域抽出ステップにおいて抽出された排除領域に対し、より目立たなくさせる加工を施す排除領域加工ステップと
を実行させるプログラム。
【請求項１７】
立体視用の左画像と右画像とを有する立体視画像であって、
所定の表示面に表示される前記左画像と右画像とで対応する融合点がない左右の領域に対し、より目立たなくさせる加工を施したことを特徴とする立体視画像。
【手続補正２】
【補正対象書類名】明細書
【補正対象項目名】００１５
【補正方法】変更
【補正の内容】
【００１５】
本発明は、このような目的を鑑みて為されたものであり、本発明の立体視画像作成方法は、立体視用の左画像と右画像とを有する立体視画像作成方法であって、左画像と右画像とでそれぞれ対応する一対の融合点がない左右の対象領域のうちのいずれかの目立たない方の領域を特定して、目立たない方の領域を排除領域として抽出する排除領域抽出ステップと、排除領域抽出ステップにおいて抽出された排除領域に対し、対象領域から排除領域を除いた領域に比較して、より目立たなくさせる加工を施す排除領域加工ステップとを備えたことを特徴とする。以上の方法をプログラムに実行させ、および実行するプログラムをコンピュータ読取可能な媒体に格納することもできる。
【手続補正３】
【補正対象書類名】明細書
【補正対象項目名】００１６
【補正方法】変更
【補正の内容】
【００１６】
また、本発明の立体視画像作成装置は、立体視用の左画像と右画像とを有する立体視画像作成装置であって、左画像と右画像とでそれぞれ対応する一対の融合点がない左右の対象領域のうちのいずれかの目立たない方の領域を特定して、目立たない方の領域を排除領域として抽出する排除領域抽出手段と、排除領域抽出手段において特定された排除領域に対し、対象領域から排除領域を除いた領域に比較して、より目立たなくさせる加工を施す排除領域加工手段とを備えたことを特徴とする。
【手続補正４】
【補正対象書類名】明細書
【補正対象項目名】００１７
【補正方法】変更
【補正の内容】
【００１７】
さらに、本発明の立体視する方法は、立体視用の左画像と右画像とを有する立体視画像を立体視する方法であって、左画像と右画像とでそれぞれ対応する一対の融合点がない左右の対象領域のうちのいずれかの目立たない方の領域を特定して、目立たない方の領域を排除領域として抽出する排除領域抽出ステップと、排除領域抽出ステップにおいて抽出された排除領域に対し、対象領域から排除領域を除いた領域に比較して、より目立たなくさせる加工を施す排除領域加工ステップとを備えたことを特徴とする。
【手続補正５】
【補正対象書類名】明細書
【補正対象項目名】００１８
【補正方法】変更
【補正の内容】
【００１８】
また、本発明の立体視画像を立体視させる装置は、立体視用の左画像と右画像とを有する立体視画像を立体視させる装置であって、左画像と右画像とでそれぞれ対応する一対の融合点がない左右の対象領域のうちいずれかの目立たない方の領域を特定して、目立たない方の領域を排除領域として抽出する排除領域抽出手段と、排除領域抽出手段において抽出された排除領域に対し、対象領域から排除領域を除いた領域に比較して、より目立たなくさせる加工を施す排除領域加工手段とを備えたことを特徴とする。